(57)【特許請求の範囲】
【請求項１】
第２の移動通信端末と通話呼が接続された第１の移動通信端末が自身のホームネットワークに接続された第１の電子装置を用いて通話サービスを提供するホームネットワークテレフォニーサービス方法であって、
前記第１の電子装置のアドレスを含み、前記通話呼に対応して前記第１の電子装置を用いる通話呼を接続することを要請する呼開始要請メッセージを前記第２の移動通信端末に送信するステップと、
前記第２の移動通信端末から前記呼開始要請メッセージに対応する応答メッセージを受信するステップと、
前記応答メッセージに、第２の電子装置が呼接続待機状態であることを示す情報と前記第２の移動通信端末のホームネットワークに接続された前記第２の電子装置のアドレスが含まれていると、前記第２の電子装置のアドレスを含み、前記第２の電子装置に発呼することを要請する呼開始要請メッセージを前記第１の電子装置に伝送するステップと、を含み、
前記呼接続待機状態は、前記第１の電子装置により呼開始要請が前記第２の電子装置に伝送されることによって、前記第２の移動通信端末の許可なしに前記第２の電子装置と前記第１の電子装置間に通話呼が接続されるようにするための待機状態である
ことを特徴とするホームネットワークテレフォニーサービス方法。
【請求項２】
第２の移動通信端末と通話呼が接続された第１の移動通信端末が自身のホームネットワークに接続された第１の電子装置を用いて通話サービスを提供するホームネットワークテレフォニーサービス方法であって、
前記第２の移動通信端末のホームネットワークに接続された第２の電子装置のアドレスを含み、前記通話呼に対応して前記第２の電子装置を用いる通話呼を接続することを要請する呼開始要請メッセージを前記第２の移動通信端末から受信するステップと、
前記第１の電子装置が呼接続待機状態であるかを確認するステップと、
前記第１の電子装置が前記呼接続待機状態である場合、前記第２の電子装置のアドレスを含む呼接続待機要請メッセージを前記第１の電子装置に送信するステップと、
前記第１の電子装置が前記呼接続待機状態であることを示す情報と前記第１の電子装置のアドレスを含む応答メッセージを、前記第２の移動通信端末に伝送するステップと、を含み、
前記呼接続待機状態は、前記第２の電子装置により呼開始要請が前記第１の電子装置に伝送されることによって、前記第１の移動通信端末の許可なしに前記第１の電子装置と前記第２の電子装置間に通話呼が接続されるようにするための待機状態である
ことを特徴とするホームネットワークテレフォニーサービス方法。
【請求項３】
前記第１の電子装置が前記呼接続待機状態でない場合、前記第２の電子装置のアドレスを含み、前記第２の電子装置に発呼することを要請する呼接続要請メッセージを前記第１の電子装置に伝送するステップをさらに含む
ことを特徴とする請求項２に記載のホームネットワークテレフォニーサービス方法。
【請求項４】
第２の移動通信端末と通話呼が接続された第１の移動通信端末が自身のホームネットワークに接続された第１の電子装置に前記通話呼を転換して通話サービスを提供するホームネットワークテレフォニーサービス方法であって、
前記第１の移動通信端末の認証に使用される前記第１の移動通信端末の第１の識別情報と第１の認証キーを含むホームネットワークテレフォニーサービス初期化メッセージを前記第２の移動通信端末に送信するステップと、
前記第２の移動通信端末の第２の識別情報と、前記第１の認証キーと、第２の認証キーを含む応答メッセージを前記初期化メッセージに対応して前記第２の移動通信端末から受信するステップと、
前記第１の認証キー及び前記第２の認証キーを用いる認証情報と、前記第１の電子装置のアドレスと、前記第１の識別情報を含み、前記通話呼に対応して前記第１の電子装置を用いる通話呼を接続することを要請する要請メッセージを前記第２の移動通信端末に送信するステップと、
前記第１の電子装置を用いて前記通話呼を接続するステップと、を含む
ことを特徴とするホームネットワークテレフォニーサービス方法。
【請求項５】
前記要請メッセージは、呼設定要請メッセージであり、呼接続待機要請をさらに含み、
前記通話呼を接続するステップは、
前記第２の移動通信端末から前記第２の移動通信端末のホームネットワークに接続された第２の電子装置のアドレスを含む応答メッセージを受信するステップと、
前記第１の電子装置に前記第２の電子装置のアドレスを含む呼開始要請メッセージを送信するステップと、をさらに含み、
前記呼接続待機要請は、前記第１の電子装置により呼開始要請が前記第２の電子装置に伝送されることによって、前記第２の移動通信端末の許可なしに前記第２の電子装置と前記第１の電子装置間に通話呼が接続されるようにするための要請である
ことを特徴とする請求項４に記載のホームネットワークテレフォニーサービス方法。
【請求項６】
第２の移動通信端末と通話呼が接続された第１の移動通信端末が自身のホームネットワークに接続された第１の電子装置に前記通話呼を転換して通話サービスを提供するホームネットワークテレフォニーサービス提供方法であって、
前記第２の移動通信端末の第２の識別情報と第２の認証キーを含むホームネットワークテレフォニーサービス初期化メッセージを前記第２の移動通信端末から受信するステップと、
前記第１の移動通信端末の第１の識別情報と、第１の認証キーと、前記第２の認証キーを含み、前記初期化メッセージに対応する応答メッセージを前記第２の移動通信端末に送信するステップと、
前記通話呼に対応して前記第２の移動通信端末のホームネットワークに接続された第２の電子装置を用いる通話呼を接続することを要請し、前記第１の認証キー及び前記第２の認証キーを用いる認証情報と、前記第２の識別情報と、前記第２の電子装置のアドレスを含む要請メッセージを受信するステップと、
前記要請メッセージに含まれた前記第２の識別情報を確認し、前記要請メッセージに前記認証情報が含まれていることを確認する認証ステップと、
前記認証ステップが成功すると、前記第１の電子装置及び前記第２の電子装置を用いる通話呼を接続するステップと、を含む
ことを特徴とするホームネットワークテレフォニーサービス方法。
【請求項７】
前記要請メッセージは、呼設定要請メッセージであり、呼接続待機要請をさらに含み、
前記通話呼を接続するステップは、
前記第１の電子装置に前記第２の電子装置のアドレスを含む呼接続待機要請メッセージを送信するステップと、
前記第１の電子装置のアドレスを含む応答メッセージを前記第２の移動通信端末に送信するステップと、を含み、
前記呼接続待機要請は、前記第２の電子装置により呼開始要請が前記第１の電子装置に伝送されることによって、前記第１の移動通信端末の許可なしに前記第１の電子装置と前記第２の電子装置の通話呼が接続されるようにするための要請である
ことを特徴とする請求項６に記載のホームネットワークテレフォニーサービス方法。
【請求項８】
第２の移動通信端末と通話呼が接続された第１の移動通信端末が自身のホームネットワークに接続された第１の電子装置を用いて通話サービスを提供するホームネットワークテレフォニーサービスシステムであって、
前記第１の電子装置のアドレスと、前記第１の電子装置に割り当てられる通話データ種類情報を含み、前記通話呼に対応して前記第１の電子装置を用いる通話呼を接続することを要請する呼開始要請メッセージを前記第２の移動通信端末に送信し、前記第２の移動通信端末から前記呼開始要請メッセージに対応する応答メッセージを受信し、前記応答メッセージに、第２の電子装置が呼接続待機状態であることを示す情報と前記第２の移動通信端末のホームネットワークに接続された前記第２の電子装置のアドレスが含まれていると、前記第２の電子装置のアドレスを含み、前記第２の電子装置に発呼することを要請する呼開始要請メッセージを前記第１の電子装置に伝送する前記第１の移動通信端末と、
前記第１の移動通信端末の要請によって前記第１の電子装置のアドレスを提供し、前記呼開始要請メッセージを受信すると、前記第２の電子装置に呼接続要請メッセージを伝送して前記通話呼に対応する呼を接続する前記第１の電子装置を含み、
前記呼接続待機状態は、前記第１の電子装置により呼開始要請が前記第２の電子装置に伝送されることによって、前記第２の移動通信端末の許可なしに前記第２の電子装置と前記第１の電子装置間に通話呼が接続されるようにするための待機状態である
ことを特徴とするホームネットワークテレフォニーサービスシステム。
【請求項９】
第２の移動通信端末と通話呼が接続された第１の移動通信端末が自身のホームネットワークに接続された第１の電子装置を用いて通話サービスを提供するホームネットワークテレフォニーサービスシステムであって、
前記第２の移動通信端末のホームネットワークに接続された第２の電子装置のアドレスと、前記第２の電子装置に割り当てられる通話データ種類情報を含み、前記通話呼に対応して前記第２の電子装置を用いる通話呼を接続することを要請する呼開始要請メッセージを前記第２の移動通信端末から受信し、前記第１の電子装置が呼接続待機状態であるかを確認し、前記呼接続待機状態である場合、前記第２の電子装置のアドレスを含む呼接続待機要請メッセージを前記第１の電子装置に送信し、前記第１の電子装置が前記呼接続待機状態であることを示す情報と前記第１の電子装置のアドレスを含む応答メッセージを、前記第２の移動通信端末に伝送する前記第１の移動通信端末と、
前記第１の移動通信端末の要請によって、前記第１の電子装置のアドレスを提供し、前記呼接続待機要請メッセージを受信すると、前記呼接続待機状態とし、前記第２の電子装置から呼接続要請メッセージを受信すると、前記第１の移動通信端末の許可なしに前記第２の電子装置間に通話呼を接続する前記第１の電子装置と、を含む
ことを特徴とするホームネットワークテレフォニーサービスシステム。
【請求項１０】
前記第１の移動通信端末は、前記第１の電子装置が前記呼接続待機状態でない場合、前記第２の電子装置のアドレスを含み、前記第２の電子装置に発呼することを要請する呼接続要請メッセージを前記第１の電子装置に伝送する
ことを特徴とする請求項９に記載のホームネットワークテレフォニーサービスシステム。
【請求項１１】
第２の移動通信端末と通話呼が接続された第１の移動通信端末が自身のホームネットワークに接続された第１の電子装置を用いて通話サービスを提供するホームネットワークテレフォニーサービスを提供するシステムにおける前記第１の移動通信端末であって、前記第１の移動通信端末は、
他の装置にメッセージを送信する送信部と、
他の装置からメッセージを受信する受信部と、
前記第１の電子装置のアドレスを含み、前記通話呼に対応して前記第１の電子装置を用いる通話呼を接続することを要請する呼開始要請メッセージを前記送信部を通じて前記第２の移動通信端末に送信し、前記第２の移動通信端末から前記呼開始要請メッセージに対応する応答メッセージを前記受信部を通じて受信し、前記応答メッセージに、第２の電子装置が呼接続待機状態であることを示す情報と前記第２の移動通信端末のホームネットワークに接続された前記第２の電子装置のアドレスが含まれていると、前記第２の電子装置のアドレスを含み、前記第２の電子装置に発呼することを要請する呼開始要請メッセージを前記第１の電子装置に伝送する制御ポイントモジュールと、を含み、
前記呼接続待機状態は、前記第１の電子装置により呼開始要請が前記第２の電子装置に伝送されることによって、前記第２の移動通信端末の許可なしに前記第２の電子装置と前記第１の電子装置間に通話呼が接続されるようにするための待機状態である
ことを特徴とする第１の移動通信端末。
【請求項１２】
第２の移動通信端末と通話呼が接続された第１の移動通信端末が自身のホームネットワークに接続された第１の電子装置を用いて通話サービスを提供するホームネットワークテレフォニーサービスシステムにおける前記第１の移動通信端末であって、前記第１の移動通信端末は、
他の装置にメッセージを送信する送信部と、
他の装置からメッセージを受信する受信部と、
前記第２の移動通信端末のホームネットワークに接続された第２の電子装置のアドレスを含み、前記通話呼に対応して前記第２の電子装置を用いる通話呼を接続することを要請する呼開始要請メッセージを前記受信部を通じて前記第２の移動通信端末から受信し、前記第１の電子装置が呼接続待機状態であるかを確認して、前記呼接続待機状態である場合、前記第２の電子装置のアドレスを含む呼接続待機要請メッセージを前記送信部を通じて前記第１の電子装置に送信し、前記第１の電子装置が前記呼接続待機状態であることを示す情報と前記第１の電子装置のアドレスを含む応答メッセージを前記送信部を通じて前記第２の移動通信端末に伝送する制御ポイントモジュールと、を含み、
前記呼接続待機状態は、前記第２の電子装置により呼開始要請が前記第１の電子装置に伝送されることによって、前記第１の移動通信端末の許可なしに前記第１の電子装置と前記第２の電子装置間に通話呼が接続されるようにするための待機状態である
ことを特徴とする第１の移動通信端末。
【請求項１３】
前記制御ポイントモジュールは、前記第１の電子装置が前記呼接続待機状態でない場合、前記第２の電子装置のアドレスを含み、前記第２の電子装置に発呼することを要請する呼接続要請メッセージを前記第１の電子装置に伝送する
ことを特徴とする請求項１２に記載の第１の移動通信端末。
【請求項１４】
第２の移動通信端末と通話呼が接続された第１の移動通信端末が自身のホームネットワークに接続された第１の電子装置に前記通話呼を転換して通話サービスを提供するホームネットワークテレフォニーサービスシステムにおける第１の移動通信端末であって、前記第１の移動通信端末は、
他の装置にメッセージを送信する送信部と、
他の装置からメッセージを受信する受信部と、
前記第１の移動通信端末の認証に使用される前記第１の移動通信端末の第１の識別情報と第１の認証キーを含むホームネットワークテレフォニーサービス初期化メッセージを前記送信部を通じて前記第２の移動通信端末に送信し、前記第２の移動通信端末の第２の識別情報と、前記第１の認証キーと、第２の認証キーを含む応答メッセージを前記初期化メッセージに対応して前記受信部を通じて前記第２の移動通信端末から受信し、前記第１の認証キー及び前記第２の認証キーを用いる認証情報と、前記第１の電子装置のアドレスと、前記第１の識別情報を含み、前記通話呼に対応して前記第１の電子装置を用いる通話呼を接続することを要請する要請メッセージを前記送信部を通じて前記第２の移動通信端末に送信し、前記第１の電子装置を用いて前記通話呼を接続する制御ポイントモジュールと、を含む
ことを特徴とする第１の移動通信端末。
【請求項１５】
前記要請メッセージは、呼設定要請メッセージであり、呼接続待機要請をさらに含み、
前記制御ポイントモジュールは
前記第２の移動通信端末から前記第２の移動通信端末のホームネットワークに接続された第２の電子装置のアドレスを含む応答メッセージを前記受信部を通じて受信し、前記第１の電子装置に前記第２の電子装置のアドレスを含む呼開始要請メッセージを送信し、
前記呼接続待機要請は、前記第１の電子装置により呼開始要請が前記第２の電子装置に伝送されることによって、前記第２の移動通信端末の許可なしに前記第２の電子装置と前記第１の電子装置間に通話呼が接続されるようにするための要請である
ことを特徴とする請求項１４に記載の第１の移動通信端末。
【請求項１６】
第２の移動通信端末と通話呼が接続された第１の移動通信端末が自身のホームネットワークに接続された第１の電子装置に前記通話呼を転換して通話サービスを提供するホームネットワークテレフォニーサービスシステムであって、前記第１の移動通信端末は、
他の装置にメッセージを送信する送信部と、
他の装置からメッセージを受信する受信部と、
前記第２の移動通信端末の第２の識別情報と第２の認証キーを含むホームネットワークテレフォニーサービス初期化メッセージを前記送信部を通じて前記第２の移動通信端末から受信し、前記第１の移動通信端末の第１の識別情報と、第１の認証キーと、前記第２の認証キーを含み、前記初期化メッセージに対応する応答メッセージを前記第２の移動通信端末に前記送信部を通じて送信し、前記通話呼に対応して前記第２の移動通信端末のホームネットワークに接続された第２の電子装置を用いる通話呼を接続することを要請し、前記第１の認証キー及び前記第２の認証キーを用いる認証情報と、前記第２の識別情報と、前記第２の電子装置のアドレスを含む要請メッセージを前記受信部を通じて受信し、前記要請メッセージに含まれた前記第２の識別情報を確認し、前記要請メッセージに前記認証情報が含まれていることを確認し、認証が成功した場合、前記第１の電子装置及び前記第２の電子装置を用いる通話呼を接続する制御ポイントモジュールと、を含む
ことを特徴とする第１の移動通信端末。
【請求項１７】
前記要請メッセージは、呼設定要請メッセージであり、呼接続待機要請をさらに含み、
前記制御ポイントモジュールは、
前記第１の電子装置に前記第２の電子装置のアドレスを含む呼接続待機要請メッセージを送信し、前記第１の電子装置のアドレスを含む応答メッセージを前記送信部を通じて前記第２の移動通信端末に送信し、
前記呼接続待機要請は、前記第２の電子装置により呼開始要請が前記第１の電子装置に伝送されることによって、前記第１の移動通信端末の許可なしに前記第１の電子装置と前記第２の電子装置の通話呼が接続されるようにするための要請である
ことを特徴とする請求項１６に記載の第１の移動通信端末。
【請求項１８】
第２の移動通信端末と通話呼が接続された第１の移動通信端末が自身のホームネットワークに接続された第１の電子装置を用いて通話サービスを提供するホームネットワークテレフォニーサービス方法の実行のためのプログラムを記録した機械可読の保存媒体であって、前記ホームネットワークテレフォニーサービス方法は、
前記第１の電子装置のアドレスを含み、前記通話呼に対応して前記第１の電子装置を用いる通話呼を接続することを要請する呼開始要請メッセージを前記第２の移動通信端末に送信するステップと、
前記第２の移動通信端末から前記呼開始要請メッセージに対応する応答メッセージを受信するステップと、
前記応答メッセージに、第２の電子装置が呼接続待機状態であることを示す情報と前記第２の移動通信端末のホームネットワークに接続された前記第２の電子装置のアドレスが含まれていると、前記第２の電子装置のアドレスを含み、前記第２の電子装置に発呼することを要請する呼開始要請メッセージを前記第１の電子装置に伝送するステップと、を含み、
前記呼接続待機状態は、前記第１の電子装置により呼開始要請が前記第２の電子装置に伝送されることによって、前記第２の移動通信端末の許可なしに前記第２の電子装置と前記第１の電子装置間に通話呼が接続されるようにするための待機状態である
ことを特徴とする機械可読の保存媒体。
【請求項１９】
第２の移動通信端末と通話呼が接続された第１の移動通信端末が自身のホームネットワークに接続された第１の電子装置を用いて通話サービスを提供するホームネットワークテレフォニーサービス方法の実行のためのプログラムを記録した機械可読の保存媒体であって、前記ホームネットワークテレフォニーサービス方法は、
前記第２の移動通信端末のホームネットワークに接続された第２の電子装置のアドレスを含み、前記通話呼に対応して前記第２の電子装置を用いる通話呼を接続することを要請する呼開始要請メッセージを前記第２の移動通信端末から受信するステップと、
前記第１の電子装置が呼接続待機状態であるかを確認するステップと、
前記呼接続待機状態である場合、前記第２の電子装置のアドレスを含む呼接続待機要請メッセージを前記第１の電子装置に送信するステップと、
前記第１の電子装置が前記呼接続待機状態であることを示す情報と前記第１の電子装置のアドレスを含む応答メッセージを、前記第２の移動通信端末に伝送するステップと、を含み、
前記呼接続待機状態は、前記第２の電子装置により呼開始要請が前記第１の電子装置に伝送されることによって、前記第１の移動通信端末の許可なしに前記第１の電子装置と前記第２の電子装置間に通話呼が接続されるようにするための待機状態である
ことを特徴とする機械可読の保存媒体。
【請求項２０】
第２の移動通信端末と通話呼が接続された第１の移動通信端末が自身のホームネットワークに接続された第１の電子装置に前記通話呼を転換して通話サービスを提供するホームネットワークテレフォニーサービス方法の実行のためのプログラムを記録した機械可読の保存媒体であって、前記ホームネットワークテレフォニーサービス方法は、
前記第１の移動通信端末の認証に使用される前記第１の移動通信端末の第１の識別情報と第１の認証キーを含むホームネットワークテレフォニーサービス初期化メッセージを前記第２の移動通信端末に送信するステップと、
前記第２の移動通信端末の第２の識別情報と、前記第１の認証キーと、第２の認証キーを含む応答メッセージを前記初期化メッセージに対応して前記第２の移動通信端末から受信するステップと、
前記第１の認証キー及び前記第２の認証キーを用いる認証情報と、前記第１の電子装置のアドレスと、前記第１の識別情報を含み、前記通話呼に対応して前記第１の電子装置を用いる通話呼を接続することを要請する要請メッセージを前記第２の移動通信端末に送信するステップと、
前記第１の電子装置を用いて前記通話呼を接続するステップと、を含む
ことを特徴とする機械可読の保存媒体。
【発明の詳細な説明】
【技術分野】
【０００１】
本発明は、ホームネットワークを用いた電話通話に関し、特に、ホームネットワークを用いて通話をする場合に、相手方を認証する方法及び装置に関する。
【背景技術】
【０００２】
一般的に、ホームネットワークは、インターネットプロトコル（Internet Protocol：ＩＰ）基盤としたプライベート・ネットワーク（Private network）でなされることで、家庭内で使用される全ての形態のパーソナルコンピュータ（ＰＣ）と知能型製品、無線装置などの多様な機器をミドルウェア（middleware）と呼ばれる共通の仮想コンピュータ環境を介して一つのネットワークで連結して統制するものである。
【０００３】
ミドルウェアとは、多様なデジタル機器をピアツーピア（Peer-to-Peer）方式で連結して機器間の通信が可能するもので、ＨＡＶＩ（Home AV Interoperability）、ＵＰｎＰ、Ｊｉｎｉ（Java（登録商標） Intelligent Network Infra-structure）、ＨＷＷ（Home Wide Web）などが現在まで提案されている。
【０００４】
この中、ＵＰｎＰミドルウェアを通じて確立されるコンピュータ環境で各機器は、動的ホスト構成プロトコル（Dynamic Host Configuration Protocol：ＤＨＣＰ）によってサーバからプロトコルが割り当てられるか、自動ＩＰ指定機能（Auto IP）により選択されるアドレスが割り当てられ、これを通じて各機器間の通信及びネットワーク上での検索／照会を遂行する。
【０００５】
ＵＰｎＰネットワークは、現在もっとも頻繁に使用されるホームネットワーク技術であり、ＵＰｎＰデバイス、ＵＰｎＰサービス、及びこれらの間のプロトコルを定義する。ＵＰｎＰネットワークは、ＩＰ基盤のホームネットワークに接続されることにより制御されるホームネットワーク機器である被制御装置（Controlled Device：ＣＤ）と、被制御装置を制御するための機器である制御ポイント（Control Point:ＣＰ）で構成される。
【０００６】
制御ポイントは、被制御装置を制御する装置として、イベントを要請し、イベントを受信する構成要素である。被制御装置は、上記制御ポイントの要請によって定められた機能を遂行する装置として、被制御装置の状態（state）が変更されると、イベントを要請した制御ポイントに上記イベントを伝送する構成要素である。
【０００７】
従来のＵＰｎＰネットワークの機器間の各ステップ別動作過程は、アドバタイズメント過程、ディスカバリー過程、ディスクリプション過程、制御過程、及びイベンティング（Eventing）過程でなされる。
【０００８】
アドバタイズメント過程は、新たな被制御装置がホームネットワークに接続してホームネットワーク上の他のデバイスに自身を通知する過程である。
【０００９】
ディスカバリー過程は、新たな制御ポイントが被制御装置を制御するために、制御ポイントがホームネットワークに接続してホームネットワーク上で動作する被制御装置を検索（search）する過程である。
【００１０】
ディスクリプション過程は、制御ポイントが被制御装置を制御するために、上記ディスカバリー過程で得られた被制御装置のＩＰアドレスを通じてサービスディスクリプション（service description）ＸＭＬ（Extensible Markup Language）ファイルまたはデバイスディスクリプション（device description）ＸＭＬファイルをパーシング（Parsing）して新しく追加されたデバイスの機能をより詳細に把握する過程である。
【００１１】
制御過程は、制御ポイントが被制御装置を介して特定サービスを提供しようとする場合、ＵＰｎＰデバイスアーキテクチャーに従ってシンプルオブジェクトアクセスプロトコル（ＳＯＡＰ）を使用して所定のサービスを要請する制御メッセージ（すなわち、アクション要請）を被制御装置に伝送し、これに対する応答メッセージ（すなわち、結果及び変数値）を受信する過程である。
【００１２】
イベンティング過程は、制御ポイントから伝送される制御命令により所定のサービスを提供した被制御装置の情報変更状態を確認する過程である。
【００１３】
図１は、ＵＰｎＰテレフォニーシステムの基本構成を示した図である。
【００１４】
ＵＰｎＰテレフォニーシステムは、テレフォニーサービス提供者（Telephony Service Provider）１０１、ＵＰｎＰテレフォニー制御ポイント（Universal Plug and Play Telephony Control Point、以下、‘制御ポイント'と称する。）１０２、テレフォニー端末（Telephony Terminal）１０３、電子機器（Electronic Device）１０４で構成される。ここで、テレフォニー端末１０３と電子機器１０４は、ＵＰｎＰテレフォニー制御ポイント１０２とＵＰｎＰプロトコルを用いて通信が可能な空間内に位置する。
【００１５】
テレフォニーサービス提供者１０１は、テレフォニーサービス（Telephony Service）を提供し、呼（call）を送受信するためのインターフェースをテレフォニー端末１０３に提供する。
【００１６】
ＵＰｎＰテレフォニー制御ポイント１０２は、ＵＰｎＰアクションを用いてＵＰｎＰテレフォニーサーバ（Telephony Server）１０６とＵＰｎＰテレフォニークライアント（Telephony Client）１０９を制御する論理的なソフトウェアモジュールである。このようなＵＰｎＰテレフォニー制御ポイント１０２は、テレフォニー端末１０３及び電子機器１０４とは個別にＰＣ（Personal Computer）、ＰＤＡ（Personal Digital Assistant）のような装置に構成されることができるが、テレフォニー端末１０３または電子機器１０４のような物理的装置内に構成されることもできる。仮にＵＰｎＰテレフォニー制御ポイント１０２がテレフォニー端末１０３または電子機器１０４のような物理的装置内部に含まれば、ＵＰｎＰテレフォニー制御ポイント１０２は、ＵＰｎＰアクション（Action）を用いることなく、ＵＰｎＰテレフォニーサーバ１０６またはＵＰｎＰテレフォニークライアント１０９を直接に制御することができる。
【００１７】
ＵＰｎＰテレフォニー制御ポイント１０２は、ＵＰｎＰテレフォニーサーバ１０６またはＵＰｎＰテレフォニークライアント１０９に含まれた呼データ伝送エージェントの能力情報を用いて呼送受信に使用するメディア、プロトコル、伝送フォーマットを決定する。そしてＵＰｎＰテレフォニー制御ポイント１０２は、決定されたメディア、プロトコル、伝送フォーマットを含むプロファイルを生成してＵＰｎＰテレフォニーサーバ１０６またはＵＰｎＰテレフォニークライアント１０９に伝送することによって、テレフォニー端末１０３または電子機器１０４に含まれた呼データ伝送エージェントの環境を設定する。
【００１８】
テレフォニー端末１０３は、電話機のようなＣＥ（Computer Engineering）装置またはソフトウェアで構成されたＶｏＩＰ（Voice over IP）を含むＰＣ、通信網を通じて接続される移動通信端末機のような物理的な装置として、ソフトウェアで構成されたＵＰｎＰテレフォニーサーバ１０６を含む。またテレフォニー端末１０３は、テレフォニーサービスを提供するテレフォニーサービス提供者１０１と、該当テレフォニーサービス提供者１０１が提供したインターフェースを用いて呼送受信を制御する。
【００１９】
電子機器１０４は、画像電話のようにユーザの音声または映像を入出力することができるＣＥ装置として、ＰＣまたはＴＶのような物理的な装置であり得、ソフトウェアで構成されたＵＰｎＰテレフォニークライアント１０９を含む。このように本発明は、ホームネットワークシステムを用いてユーザが宅内で便利に呼を送受信することができる。
【００２０】
図２は、ユーザがそれぞれの家でＵＰｎＰテレフォニー技術を使用して映像通話を進行している状況を示した図である。ボブ（Bob）とアリス（Alice）は、各自の家でテレビ装置（ＴＶ）のようなＣＥ装置を映像及び音声入出力装置として使用して携帯電話映像通話を遂行している。テレビ装置は、カメラのような映像入力装置を含んでおり、カメラを通じて入力された映像は、携帯電話（mobile phone）を通じて移動通信網、例えば、３Ｇ／ＬＴＥ網に伝送される。これを受信したアリスの携帯電話は、これをテレビ装置に伝送して、アリスにボブの映像を見せるようになる。アリスの映像も同じ方法でボブのテレビ装置まで伝送される。
【００２１】
図２は、携帯電話に伝送された映像をテレビ装置に再伝送するために、映像の解像度が携帯電話画面サイズに最適化されている。このような低解像度の映像をテレビ装置で拡大して再生する場合、画質低下を避けられない。
【００２２】
図３では、上のような状況で高画質の映像を伝送するための方法を示している。携帯電話を使用して相手方のテレビ装置の情報を交換及び設定し、テレビ装置に適合した高画質の映像を広域ネットワークを使用して交換する。
【００２３】
図３の設定プロトコル（configuration protocol）は、一般的にＨＴＴＰ（Hyper Text Transfer Protocol）を用いたＲＥＳＴ（Representational State Transfer）方式のメッセージを使用して相手方の携帯電話を制御して相手方のネットワークの情報を受信するか、制御する形式で具体化されることができる。
【発明の概要】
【発明が解決しようとする課題】
【００２４】
ところが、ＲＥＳＴ方式を使用してホームネットワークテレフォニーサービスの設定プロトコルを具体化する場合、誰でも容易にホームネットワークのＲＥＳＴサーバのＩＰアドレスを知ることができる。この場合、任意にＲＥＳＴサーバに接続してホームネットワークのネットワーク情報を要請して取得することができ、これを使用してホームネットワークに接続した装置を制御できるようになる。
【００２５】
さらに、ＲＥＳＴ方式のサーバの代わりにＳＭＳ（Short Message Service）を用いる場合にも、上記の問題が依然として発生する恐れがある。
【００２６】
本発明の目的は、少なくとも上述した問題点及び／又は課題に取り組み、少なくとも以下の便宜を提供することにある。本発明の目的は、ホームネットワークテレフォニーサービスを提供する時、ホームネットワークへの接続を要請する機器を認証することができる方法及び装置を提供することにある。
【００２７】
本発明の他の目的は、認証されない該当機器の接続を遮断する方法及び装置を提供することにある。併せて、ユーザの同意がある場合のみに適法なユーザにネットワーク情報を提供することができる方法及び装置を提供することにある。
【課題を解決するための手段】
【００２８】
本発明の一側面によれば、第２の移動通信端末と通話呼が接続された第１の移動通信端末が自身のホームネットワークに接続された第１の電子装置を用いて通話サービスを提供するホームネットワークテレフォニーサービス方法を提供する。上記方法は、上記第１の電子装置のアドレスを含み、上記通話呼に対応して上記第１の電子装置を用いる通話呼を接続することを要請する呼開始要請メッセージを上記第２の移動通信端末に送信するステップと、上記第２の移動通信端末から上記呼開始要請メッセージに対応する応答メッセージを受信するステップと、上記応答メッセージに、呼接続待機が設定されたことを示す情報と上記第２の移動通信端末のホームネットワークに接続された第２の電子装置のアドレスが含まれていると、上記第２の電子装置のアドレスを含み、上記第２の電子装置に発呼することを要請する呼開始要請メッセージを上記第１の電子装置に伝送するステップと、を含み、上記呼接続待機は、上記第１の電子装置により呼開始要請が上記第２の電子装置に伝送されることによって、上記第２の移動通信端末の許可なしに上記第２の電子装置と上記第１の電子装置間に通話呼が接続されるようにするための待機状態であることを特徴とする。
【００２９】
本発明の他の側面によれば、第２の移動通信端末と通話呼が接続された第１の移動通信端末が自身のホームネットワークに接続された第１の電子装置を用いて通話サービスを提供するホームネットワークテレフォニーサービス方法を提供する。上記方法は、上記第２の移動通信端末のホームネットワークに接続された第２の電子装置のアドレスを含み、上記通話呼に対応して上記第２の電子装置を用いる通話呼を接続することを要請する呼開始要請メッセージを上記第２の移動通信端末から受信するステップと、呼接続待機が設定されたかを確認するステップと、上記呼接続待機が設定されると、上記第２の電子装置のアドレスを含む呼接続待機要請メッセージを上記第１の電子装置に送信するステップと、上記呼接続待機が設定されたことを示す情報と上記第１の電子装置のアドレスを含む応答メッセージを、上記第２の移動通信端末に伝送するステップと、を含み、上記呼接続待機は、上記第２の電子装置により呼開始要請が上記第１の電子装置に伝送されることによって、上記第１の移動通信端末の許可なしに上記第１の電子装置と上記第２の電子装置間に通話呼が接続されるようにするための待機状態であることを特徴とする。
【００３０】
本発明のさらに他の側面によれば、第２の移動通信端末と通話呼が接続された第１の移動通信端末が自身のホームネットワークに接続された第１の電子装置に上記通話呼を転換して通話サービスを提供するホームネットワークテレフォニーサービス方法を提供する。上記方法は、上記第１の移動通信端末の認証に使用される上記第１の移動通信端末の第１の識別情報と第１の認証キーを含むホームネットワークテレフォニーサービス初期化メッセージを上記第２の移動通信端末に送信するステップと、上記第２の移動通信端末の第２の識別情報と、上記第１の認証キーと、第２の認証キーを含む応答メッセージを上記初期化メッセージに対応して上記第２の移動通信端末から受信するステップと、上記第１の認証キー及び上記第２の認証キーを用いる認証情報と、上記第１の電子装置のアドレスと、上記第１の識別情報を含み、上記通話呼に対応して上記第１の電子装置を用いる通話呼を接続することを要請する要請メッセージを上記第２の移動通信端末に送信するステップと、上記第１の電子装置を用いて上記通話呼を接続するステップと、を含むことを特徴とする。
【００３１】
本発明のまたさらに他の側面によれば、第２の移動通信端末と通話呼が接続された第１の移動通信端末が自身のホームネットワークに接続された第１の電子装置に上記通話呼を転換して通話サービスを提供するホームネットワークテレフォニーサービス提供方法を提供する。上記方法は、上記第２の移動通信端末の第２の識別情報と第２の認証キーを含む上記ホームネットワークテレフォニーサービス初期化メッセージを上記第２の移動通信端末から受信するステップと、上記第１の移動通信端末の第１の識別情報と、第１の認証キーと、上記第２の認証キーを含み、上記初期化メッセージに対応する応答メッセージを上記第２の移動通信端末に送信するステップと、上記通話呼に対応して上記第２の移動通信端末のホームネットワークに接続された第２の電子装置を用いる通話呼を接続することを要請し、上記第１の認証キー及び上記第２の認証キーを用いる認証情報と、上記第２の識別情報と、上記第２の電子装置のアドレスを含む要請メッセージを受信するステップと、上記要請メッセージに含まれた上記第２の識別情報を確認し、上記要請メッセージに上記認証情報が含まれていることを確認する認証ステップと、上記認証が成功的に遂行されると、上記第１の電子装置及び上記第２の電子装置を用いる通話呼を接続するステップと、を含むことを特徴とする。
【００３２】
本発明のまたさらに他の側面によれば、第２の移動通信端末と通話呼が接続された第１の移動通信端末が自身のホームネットワークに接続された第１の電子装置を用いて通話サービスを提供するホームネットワークテレフォニーサービスシステムを提供する。上記システムは、上記第１の電子装置のアドレスと、上記第１の電子装置に割り当てられる通話データ種類情報を含み、上記通話呼に対応して上記第１の電子装置を用いる通話呼を接続することを要請する呼開始要請メッセージを上記第２の移動通信端末に送信し、上記第２の移動通信端末から上記呼開始要請メッセージに対応する応答メッセージを受信し、上記応答メッセージに、呼接続待機が設定されたことを示す情報と上記第２の移動通信端末のホームネットワークに接続された第２の電子装置のアドレスが含まれていると、上記第２の電子装置のアドレスを含み、上記第２の電子装置に発呼することを要請する呼開始要請メッセージを上記第１の電子装置に伝送する上記第１の移動通信端末と、上記第１の移動通信端末の要請によって上記第１の電子装置のアドレスを提供し、上記呼開始要請メッセージを受信すると、上記第２の電子装置に呼接続要請メッセージを伝送して上記通話呼に対応する呼を接続する上記第１の電子装置を含み、上記呼接続待機は、上記第１の電子装置により呼開始要請が上記第２の電子装置に伝送されることによって、上記第２の移動通信端末の許可なしに上記第２の電子装置と上記第１の電子装置間に通話呼が接続されるようにするための待機状態であることを特徴とする。
【００３３】
本発明のまたさらに他の側面によれば、第２の移動通信端末と通話呼が接続された第１の移動通信端末が自身のホームネットワークに接続された第１の電子装置を用いて通話サービスを提供するホームネットワークテレフォニーサービスシステムを提供する。上記システムは、上記第２の移動通信端末のホームネットワークに接続された第２の電子装置のアドレスと、上記第２の電子装置に割り当てられる通話データ種類情報を含み、上記通話呼に対応して上記第２の電子装置を用いる通話呼を接続することを要請する呼開始要請メッセージを上記第２の移動通信端末から受信し、呼接続待機が設定されたかを確認し、上記呼接続待機が設定されると、上記第２の電子装置のアドレスを含む呼接続待機要請メッセージを上記第１の電子装置に送信し、上記呼接続待機が設定されたことを示す情報と上記第１の電子装置のアドレスを含む応答メッセージを、上記第２の移動通信端末に伝送する上記第１の移動通信端末と、上記第１の移動通信端末の要請によって、上記第１の電子装置のアドレスを提供し、上記呼接続待機要請メッセージを受信すると、上記呼接続待機を設定し、上記第２の電子装置から呼接続要請メッセージを受信すると、上記第１の移動通信端末の許可なしに上記第２の電子装置間に通話呼を接続する上記第１の電子装置と、を含むことを特徴とする。
【発明の効果】
【００３４】
本発明によれば、ホームネットワークテレフォニーサービスを提供する時、ホームネットワークへの接続を要請する機器を認証することができる効果がある。
【００３５】
なお、認証されない該当機器の接続を遮断することができる。併せて、ユーザの同意がある場合のみに適法なユーザにネットワーク情報を提供することができる効果がある。
【図面の簡単な説明】
【００３６】
【図１】一般的なＵＰｎＰテレフォニーシステムの構成を示した図である。
【図２】従来のＵＰｎＰテレフォニーシステムにおける通話接続過程を示した図である。
【図３】従来のＵＰｎＰテレフォニーシステムにおける通話接続過程を示した図である。
【図４】本発明の一実施形態によるテレフォニー端末の構成を示した図である。
【図５】本発明の第１の実施形態によるＵＰｎＰテレフォニーシステムの構成を示した図である。
【図６】本発明の一実施形態によってＵＰｎＰテレフォニーサービスを提供する過程を示した図である。
【図７】本発明の一実施形態によるＵＰｎＰテレフォニーシステムの構成を示した図である。
【図８】本発明の一実施形態によるＵＰｎＰテレフォニーシステムの構成を示した図である。
【図９】本発明の一実施形態によってＵＰｎＰテレフォニーサービスを提供する過程を示した図である。
【図１０】本発明の一実施形態によってＵＰｎＰテレフォニーサービスを提供する過程を示した図である。
【図１１】本発明の一実施形態によってＵＰｎＰテレフォニーサービスを提供する過程を示した図である。
【図１２】本発明の一実施形態によってＵＰｎＰテレフォニーサービスを提供する過程を示した図である。
【図１３】本発明の一実施形態によってＵＰｎＰテレフォニーサービスを提供する過程を示した図である。
【図１４】本発明の一実施形態によってＵＰｎＰテレフォニーサービスを提供する過程を示した図である。
【発明を実施するための形態】
【００３７】
以下、本発明の望ましい実施形態を添付の図面を参照して詳細に説明する。本発明の下記の説明において、関連した公知機能或いは構成に対する具体的な説明が本発明の要旨を不必要に不明瞭にすると判断された場合、その詳細な説明は省略する。また、後述する用語は、本発明の機能を考慮して定義されたものであって、ユーザ、運用者の意図、又は慣例などに基づいて変わることができる。したがって、上記用語は、本明細書の全体内容に基づいて定義されなければならない。
【００３８】
本発明は、通話呼が接続されたテレフォニー端末がホームネットワークに存在する電子装置に上記通話呼を転換して、ホームネットワークの電子装置を介してテレフォニーサービスを提供するホームネットワークテレフォニーサービスで、通話呼をホームネットワークに転換するために、両端のテレフォニー端末にネットワーク情報を提供する時、両端のテレフォニー端末に対する認証を遂行して、ホームネットワークの保安を強化するものである。
【００３９】
このために、本発明では、ホームネットワークテレフォニーサービスを開始する時、両端のテレフォニー端末間に認証情報を交換するか、通話相手のホームネットワーク情報要請時、または通話相手のホームネットワーク情報要請に対して応答する時、相手に認証情報を共に伝達し、受信された認証情報に対する認証を遂行して、認証が成功的に遂行される場合にサービスを続ける。本発明では、認証情報として、テレフォニー端末の識別情報または認証キーを用いることができる。そして、本発明は、多様なホームネットワークで利用される多様なミドルウェアに適用されることができるが、以下の実施形態では、ＵＰｎＰを用いるホームネットワークを一例として説明する。
【００４０】
このような本発明が適用されるテレフォニー端末の一例を図４に図示する。テレフォニー端末は、電話機のようなＣＥ（Computer Engineering）装置またはソフトウェアで構成されたＶｏＩＰ（Voice over ＩＰ）を含むＰＣ、通信網を通じて接続される移動通信端末機のような物理的な装置である。
【００４１】
図４を参照すれば、テレフォニー端末は、制御ポイント（Control Point:ＣＰ）モジュール２１０、認証モジュール２２０、テレフォニー制御部２３０、送受信部２４０、保存部２５０、ユーザ入力部２６０を含む。そして追加的にまたは選択的に、ＲＥＳＴサーバ／クライアント２７０を含むことができる。
【００４２】
テレフォニー制御部２３０は、テレフォニー通信に従う動作を制御し、制御ポイントモジュール２１０の制御によってホームネットワークテレフォニーサービスを提供するための動作を遂行する。テレフォニー制御部２３０は、例えば、移動通信、有線電話通信、ＶｏＩＰのうち、一つ以上の電話通信を遂行することができる。そしてテレフォニー制御部２３０は、本発明の実施形態によってＳＭＳ送受信モジュール２３１を追加的に含むことができる。
【００４３】
送受信部２４０は、ネットワークまたは他の装置とメッセージまたはデータを送受信し、受信されたメッセージまたはデータをテレフォニー制御部２３０に伝達して、テレフォニー制御部２３０で入力されるメッセージまたはデータをネットワークに送信する。送受信部２４０は、移動通信またはＩＰ通信などをサポートする。
【００４４】
保存部２５０は、テレフォニー端末の処理及び制御のためのプログラム、参照データ、更新可能な各種保管用データなどを保存し、テレフォニー制御部２３０及び制御ポイントモジュール２１０のワーキングメモリ（working memory）に提供する。そして保存部２５０は、各種ホームネットワーク情報を保存することができる。ホームネットワーク情報は、例えば、ホームネットワーク装置のリスト、ホームネットワーク装置のアドレス、ホームネットワーク装置の詳細情報などを含む。
【００４５】
ユーザ入力部２６０は、ユーザとテレフォニー端末間の入力インターフェースを提供する装置として、例えば、キーパッド、タッチスクリーンなどを含む。またユーザ入力部２６０は、マイクまたはカメラなどを含むこともできる。
【００４６】
制御ポイントモジュール２１０は、ＵＰｎＰアクションを用いてテレフォニーサーバとテレフォニークライアントを制御するソフトウェアモジュールである。このようなテレフォニー制御ポイントモジュール２１０は、テレフォニー端末と個別的な他の装置に構成されることもできるが、本発明の実施形態では、テレフォニー端末に含まれると仮定する。
【００４７】
制御ポイントモジュール２１０は、テレフォニー制御部２３０に含まれた呼データ伝送エージェントの能力情報を用いて呼送受信に使用するメディア、プロトコル、伝送フォーマットを決定する。そして制御ポイントモジュール２１０は、決定されたメディア、プロトコル、伝送フォーマットが定義されたプロファイルを生成してＵＰｎＰテレフォニークライアントまたはＵＰｎＰテレフォニーサーバを含むホームネットワーク装置に伝送することによって、テレフォニー端末またはホームネットワーク装置に含まれた呼データ伝送エージェントの環境を設定する。ここで、ＵＰｎＰテレフォニークライアントまたはＵＰｎＰテレフォニーサーバを含むホームネットワーク装置は、例えば、テレビ装置、パーソナルコンピュータなどであり得る。
【００４８】
そして制御ポイントモジュール２１０は、本発明に従うホームネットワークテレフォニーサービスを提供するために、テレフォニー端末に含まれる各種構成の動作を制御する。言い換えれば、制御ポイントモジュール２１０は、ＲＥＳＴサーバ／クライアント２７０またはテレフォニー制御部２３０を制御して、ホームネットワークテレフォニーサービスを提供するための各種メッセージを生成し、生成されたメッセージを送受信部２４０を通じて送信する。そして制御ポイントモジュール２１０は、送受信部２４０を通じて受信された各種メッセージが関連構成部で処理されることができるようにする。また制御ポイントモジュール２１０は、認証モジュール２２０を制御して認証キーの生成及び認証過程を遂行する。
【００４９】
認証モジュール２２０は、制御ポイントモジュール２１０の制御下に、認証キーを生成し、他の装置から伝えられる認証キーに対する認証を遂行する。本発明の実施形態によって、認証キーで乱数を用いることができる。
【００５０】
ＲＥＳＴサーバ／クライアント２７０は、ホームネットワークテレフォニーサービスをサポートするために、テレフォニー端末に設けられるＩＰ基盤のサーバ／クライアントの一種であり、制御ポイントモジュール２１０の制御によって、ホームネットワークテレフォニーサービス提供に必要な各種メッセージを生成して処理する。本発明の他の実施形態では、他の種類のＩＰ基盤のサーバ／クライアントに置き換えられる。
【００５１】
上記のテレフォニー端末は、移動通信端末、パーソナルコンピュータ、ＰＤＡなどのような多様な装置で具現されることができるが、以下の実施形態では、テレフォニー端末が移動通信端末であると仮定する。したがって、以下の実施形態で言及される移動通信端末は、上記のテレフォニー端末と類似している。
【００５２】
図５は、本発明の実施形態によるＵＰｎＰテレフォニーシステムの構成を示した図である。図５に示された実施形態は、認証情報として各移動通信端末の識別情報を用いる場合を仮定し、ネットワーク装置情報をＲＥＳＴメッセージを用いて送受信する場合を仮定する。
【００５３】
図５を参照すれば、ユーザが使用している移動通信端末３００、４００は、相手方の短文メッセージを送受信することができるモジュール３０２、４０２だけでなく、一種のＨＴＴＰサーバであるＲＥＳＴサーバ３０３、４０３を含む。移動通信端末３００、４００内の認証モジュール３０４、４０４は、短文メッセージまたはＲＥＳＴメッセージを通じて伝えられた制御信号及び装置が認証された送信装置により送信されたかを確認する役割をする。そして、電話通信モジュール３０１、４０１とＳＭＳ送受信モジュール３０２、４０２は、図４に示されたテレフォニー端末のテレフォニー制御部２３０に該当する。
【００５４】
すなわち、第１の移動通信端末３００と第２の移動通信端末４００間に移動通信を通じた電話通話が接続された状態で（ステップ５０１）、第１の移動通信端末３００が通話呼をホームネットワークテレフォニーサービスに転換しようとすると、制御ポイントモジュール３０５は、第２の移動通信端末４００と接続するホームネットワークのネットワーク情報を取得しなければならない。
【００５５】
これによって、ステップ５０３で、制御ポイントモジュール３０５は、ＳＭＳ送受信モジュール３０２を用いて第２の移動通信端末４００にＲＥＳＴサーバに対するアドレス要請メッセージを伝送する。この時、アドレス要請メッセージは、一種のホームネットワークテレフォニーサービスの初期化メッセージに該当し、アドレス要請メッセージには、第１の移動通信端末３００の識別情報、例えば、電話番号が含まれる。
【００５６】
第２の移動通信端末４００は、アドレス要請メッセージが受信されると、制御ポイントモジュール４０５の制御の下に認証モジュール４０４を通じてＲＥＳＴサーバのアドレス要請メッセージに含まれた識別情報、すなわち、電話番号がステップ５０１で通話呼接続された第１の移動通信端末３００の電話番号と一致するかを決定する。この時、第１の移動通信端末３００の電話番号は、通話呼接続によって予め知っている。このような決定によって、上記識別情報、即ち電話番号が第１の移動通信端末３００の電話番号と一致すると、制御ポイントモジュール４０５は、ステップ５０５でＳＭＳ送受信モジュール４０２を使用してＲＥＳＴサーバのＵＲＩアドレスを含むアドレス応答メッセージを構成して第１の移動通信端末３００に伝送する。この時、アドレス応答メッセージには、第２の移動通信端末４００の識別情報、例えば、電話番号が含まれる。
【００５７】
第１の移動通信端末３００は、ステップ５０５でアドレス応答メッセージが受信されると、制御ポイントモジュール３０５の制御の下に認証モジュール３０４を通じてアドレス応答メッセージに含まれた識別情報、すなわち、電話番号がステップ５０１で通話呼接続された第２の移動通信端末４００の電話番号と一致するかを決定する。上記アドレス応答メッセージに含まれた上記識別情報、即ち電話番号が第２の移動通信端末４００の電話番号と一致すると、応答メッセージを有効なメッセージとして処理する。
【００５８】
以後、第１の移動通信端末３００の制御ポイントモジュール３０５は、ＲＥＳＴサーバ／クライアント３０３を制御して、ホームネットワークに接続した装置発見要請／装置制御メッセージを構成し、ステップ５０７で第２の移動通信端末４００に送信する。この時、装置発見要請／装置制御メッセージには、第２の移動通信端末４００の電話番号が含まれる。
【００５９】
第２の移動通信端末４００は、装置発見要請／装置制御メッセージが受信されると、制御ポイントモジュール４０５の制御の下に認証モジュール４０４を通じて装置発見要請／装置制御メッセージに含まれた電話番号がステップ５０１で通話呼接続された第１の移動通信端末３００の電話番号と一致するかを決定する。このような決定によって、上記装置発見要請／装置制御メッセージに含まれた電話番号が第１の移動通信端末３００の電話番号と一致すると、制御ポイントモジュール４０５は、ステップ５０９でＲＥＳＴサーバ／クライアント４０３を使用して装置リスト／装置制御／イベントを含む応答メッセージを構成して第１の移動通信端末３００に伝送する。この時、応答メッセージには、第２の移動通信端末４００の電話番号が含まれる。
【００６０】
第１の移動通信端末３００は、ステップ５０９で応答メッセージが受信されると、制御ポイントモジュール３０５の制御の下に認証モジュール３０４を通じて応答メッセージに含まれた電話番号がステップ５０１で通話呼接続された第２の移動通信端末４００の電話番号と一致するかを決定する。応答メッセージに含まれた電話番号が第２の移動通信端末４００の電話番号と一致すると、応答メッセージを有効なメッセージとして処理する。
【００６１】
図６は、上記の図５の本発明の第１の実施形態によってＵＰｎＰテレフォニーサービスを提供するための動作過程を詳細に示した図である。図６は、本発明の動作を説明する図であり、初期ＲＥＳＴサーバのＩＰアドレスを短文メッセージを通じて交換し、以後ではＲＥＳＴメッセージを使用して相手方ホームネットワークのＵＰｎＰテレフォニー関連情報を交換する時の動作を説明した図である。またＲＥＳＴサーバに情報要請が受信された場合、受信された要請メッセージを認証する過程を含んでいる。図６に示された過程に対する説明は、次のようである。
【００６２】
第２の移動通信端末４００と電話呼接続された状態（８００）で、第１の移動通信端末３００は、ステップ８０１とステップ８０３で内蔵されている制御ポイントモジュール３０５を使用して現在自身が属しているホームネットワークのテレフォニー装置を発見する。テレフォニー装置は、例えば、第１のテレビ装置６００であり得る。
【００６３】
第１の移動通信端末３００は、ステップ８０５で短文メッセージを使用して第２の移動通信端末４００で接続可能なＲＥＳＴサーバのＩＰアドレスを要請する。この時、第１の移動通信端末３００は、短文メッセージを使用することなく、ＮＡＢ（Network Address Book）サービスを用いて相手方のＩＰを知ることができる。そしてアドレス要請メッセージには、第１の移動通信端末３００の電話番号が含まれる。
【００６４】
第２の移動通信端末４００は、制御ポイントモジュール４０５の制御の下に認証モジュール４０４を通じてＲＥＳＴサーバのアドレス要請メッセージに含まれた電話番号がステップ８００で通話呼接続された第１の移動通信端末３００の電話番号と一致するかを決定する。ＲＥＳＴサーバのアドレス要請メッセージに含まれた電話番号が第１の移動通信端末３００の電話番号と一致しない場合、第２の移動通信端末４００は、アドレス要請メッセージを無視するか、エラーメッセージを伝送する。
【００６５】
ＲＥＳＴサーバのアドレス要請メッセージに含まれた電話番号が第１の移動通信端末３００の電話番号と一致すると、第２の移動通信端末４００は、短文メッセージを使用して第１の移動通信端末３００に自身のＲＥＳＴサーバ４０３のＩＰアドレスを伝達する。この時、ＩＰアドレスが含まれたアドレス応答メッセージには、第２の移動通信端末４００の電話番号が含まれる。
【００６６】
アドレス応答メッセージを受信すると、第１の移動通信端末３００は、制御ポイントモジュール３０５の制御の下に認証モジュール３０４を通じてアドレス応答メッセージに含まれた電話番号がステップ８００で通話呼接続された第２の移動通信端末４００の電話番号と一致するかを決定する。アドレス応答メッセージに含まれた電話番号がステップ８００で通話呼接続された第２の移動通信端末４００の電話番号と一致すると、応答メッセージを有効なメッセージとして処理する。アドレス応答メッセージに含まれた電話番号がステップ８００で通話呼接続された第２の移動通信端末４００の電話番号と一致しない場合、第１の移動通信端末３００は、応答メッセージを無視するか、エラーメッセージを伝送する。
【００６７】
アドレス応答メッセージに含まれた電話番号が第２の移動通信端末４００の電話番号と一致する場合、第１の移動通信端末３００は、ＲＥＳＴメッセージを活用して、ステップ８０９で相手方の第２の移動通信端末４００に向けて相手方ホームネットワークのＵＰｎＰ装置リスト情報を要請する。ホームネットワーク装置リスト要請メッセージには、第１の移動通信端末３００の電話番号が含まれる。
【００６８】
この時、第１の移動通信端末３００は、第２の移動通信端末４００のＲＥＳＴサーバ４０３のＩＰアドレスを自身のアドレス録に追加し、今後に短文メッセージを再度送らないようにすることができる。仮にＲＥＳＴサーバ４０３のＩＰが変更された場合には、第２の移動通信端末４００がステップ８０９に対する応答として、エラーメッセージを応答し、再度短文メッセージを使用してＩＰアドレスを伝達するはずである。
【００６９】
ステップ８０９でホームネットワークのＵＰｎＰ装置リスト情報の要請を受信した第２の移動通信端末４００は、ホームネットワーク装置リスト要請メッセージに含まれた電話番号を用いて、第１の移動通信端末３００を認証する。
【００７０】
第２の移動通信端末４００が第１の移動通信端末３００を成功的に認証すると、第２の移動通信端末４００は、ステップ８１１とステップ８１３で、ＵＰｎＰテレフォニーＤＡ１.１で定義された方式によって、Ｍ−ＳＥＡＲＣＨメッセージを使用してホームネットワーク内のＵＰｎＰ装置を発見する。この時、発見されたホームネットワークに接続した装置は、第２のテレビ装置７００であり得る。以後、第２の移動通信端末４００は、ホームネットワーク装置に対する情報を第１の移動通信端末３００にステップ８１５で伝達する。ホームネットワーク装置のリストが含まれたホームネットワーク装置リスト応答メッセージには、第２の移動通信端末４００の電話番号も含まれる。
【００７１】
ステップ８０９までの動作は、高画質のホームネットワークテレフォニーサービス接続のための事前動作であり、以後の動作は、ユーザが実際高画質のホームネットワークテレフォニーサービスを使用するために機器を駆動させた後になされる。
【００７２】
ステップ８１５でホームネットワーク装置リスト応答メッセージを受信した第１の移動通信端末３００は、ホームネットワーク装置リスト応答メッセージに含まれた電話番号を用いて第２の移動通信端末４００に対した認証を遂行し、ホームネットワーク装置リスト応答メッセージが有効であるかを判断する。有効であると判断されると、以後、ステップ８１７でユーザ選択に対応してホームネットワークテレフォニーサービスを提供するためのホームネットワーク装置、すなわち、第１のテレビ装置６００を選択する。そしてステップ８１９とステップ８２１で第１のテレビ装置６００のＳＩＰ ＵＲＩアドレスを取得する。
【００７３】
第１の移動通信端末３００は、ステップ８２３でＲＥＳＴメッセージを活用して、第２の移動通信端末４００にホームネットワークテレフォニーサービスを遂行するために、第１のテレビ装置６００のＳＩＰ ＵＲＩアドレスを伝達する。この時、第１のテレビ装置６００のＳＩＰ ＵＲＩアドレスが含まれる呼開始要請メッセージは、ホームネットワークテレフォニーサービス提供に従う呼転換を要請するメッセージである。呼開始要請メッセージには、第１の移動通信端末３００の電話番号が含まれる。
【００７４】
ステップ８２３で呼開始要請メッセージを受信した第２の移動通信端末４００は、ステップ８２５で呼開始要請メッセージが適切なユーザから伝達されたかを決定する。すなわち、呼開始要請メッセージに含まれた電話番号が、ステップ８００で通話接続された第１の移動通信端末３００の電話番号と一致するかを決定する。
【００７５】
第２の移動通信端末４００は、認証結果、上記要請が適切であると判断すると、ステップ８２７でユーザ入力によってホームネットワークテレフォニーサービスを遂行する装置、例えば、第２のテレビ装置７００を選択する。そして第２の移動通信端末４００は、ステップ８２９で第２のテレビ装置７００にホームネットワークテレフォニーサービス開始のための呼開始要請メッセージ、すなわち、EnhancedInitiatecall（第１のテレビ装置６００のＳＩＰ ＵＲＩ）を生成して、第１のテレビ装置６００のアドレスを第２のテレビ装置７００に伝達する。
【００７６】
第２のテレビ装置７００は、ステップ８２９で受信した呼開始要請メッセージに対する正常処理可否に対する応答をステップ８３１で第２の移動通信端末４００に伝達する。第２の移動通信端末４００は、ステップ８３１での応答内容によって、ステップ８２３の要請に対する正常処理可否を示す応答を構成してステップ８３３で第１の移動通信端末３００に伝達する。
【００７７】
以後、ステップ８３５で第１の移動通信端末３００と第２の移動通信端末は、通話呼を整理する。例えば、音声通話は、第１の移動通信端末３００と第２の移動通信端末４００を通じてなされることができるように維持し、通話にともなう映像は、第１のテレビ装置６００と第２のテレビ装置７００を通じて送受信されることができるように設定する（ステップ８３７）。この時、第１のテレビ装置６００と第２のテレビ装置７００は、ホームネットワーク及びホームネットワークと接続したバックボーンネットワークを通じてなされる。このような音声通話と映像通話は、一つのセッションとして処理される。
【００７８】
上記の実施形態は、短文メッセージとＲＥＳＴメッセージを混用して使用する場合を例として説明した。しかしながら、本発明の他の実施形態によって、ステップ８０９、ステップ８１５、ステップ８２３、ステップ８３３の動作が短文メッセージを通じてなされるように構成することもできる。この場合、ステップ８０５で第２の移動通信端末４００に伝送される短文メッセージには、ＲＥＳＴサーバのアドレスを要請する情報の代わりに、ホームネットワークテレフォニーサービスに対する初期化メッセージであることを示す情報と、第１の移動通信端末３００の電話番号が含まれる。そしてステップ８０７で第１の移動通信端末３００に伝えられる短文メッセージには、初期化メッセージに対する応答内容と、第２の移動通信端末４００の電話番号が含まれる。そして、ステップ８０９、ステップ８１５、ステップ８２３、ステップ８３３で使用されるメッセージは、短文メッセージであっても、該当メッセージに含まれる内容または情報は、上述した内容と同一であるだろう。
【００７９】
次に、図７乃至図１０を参照して、本発明の他の実施形態によって、ホームネットワークテレフォニーサービスを提供する過程を説明する。本発明の第２の実施形態は、認証情報として、該当移動通信端末の識別情報以外に追加的な認証キーを使用すると仮定する。
【００８０】
図７は、本発明の第２の実施形態によって、移動通信端末３００、４００が短文メッセージ送受信が可能な短文メッセージ送受信モジュール３０２、４０２だけでなく、一種のＨＴＴＰサーバであるＲＥＳＴサーバ／クライアント３０３、４０３を具備している場合を示す。移動通信端末３００、４００内の認証モジュール３０４、４０４は、短文メッセージまたはＲＥＳＴメッセージを通じて伝えられた制御信号及び装置が認証された送信装置により送信されたかを認証する役割をする。そして電話通信モジュール３０１、４０１とＳＭＳ送受信モジュール３０２、４０２は、図４に示されたテレフォニー端末でテレフォニー制御部２３０に該当する。
【００８１】
図９は、図７のように構成されるシステムでのホームネットワークテレフォニーサービスを提供する過程を詳細に示したものである。
【００８２】
図８及び図１０は、本発明の第２の実施形態によって、ユーザが使用している移動通信端末３００、４００が短文メッセージ送受信が可能な短文メッセージ送受信モジュール３０２、４０２を通じてホームネットワークテレフォニーサービスを提供するためのセッティング過程を遂行する場合を示したものである。
【００８３】
図７を参照すれば、第１の移動通信端末３００と第２の移動通信端末４００間に移動通信を通じた電話通話が接続された状態で（ステップ９０１）、第１の移動通信端末３００が通話呼をホームネットワークテレフォニーサービスに転換しようとすると、制御ポイントモジュール３０５は、第２の移動通信端末４００と連係するホームネットワークのネットワーク情報を取得しなければならない。
【００８４】
これによって、ステップ９０３で制御ポイントモジュール３０５は、ＳＭＳ送受信モジュール３０２を用いて第２の移動通信端末４００にＲＥＳＴサーバに対するアドレス要請メッセージを伝送する。アドレス要請メッセージは、一種のホームネットワークテレフォニーサービスの初期化メッセージに該当し、アドレス要請メッセージには、本発明によって第１の移動通信端末３００の識別情報、例えば、電話番号と、認証キーＲＡが含まれる。認証キーＲＡは、乱数であり得、認証モジュール３０４により生成される。
【００８５】
第２の移動通信端末４００は、アドレス要請メッセージが受信されると、制御ポイントモジュール４０５の制御の下に認証モジュール４０４を通じてＲＥＳＴサーバのアドレス要請メッセージに含まれた識別情報、すなわち、電話番号がステップ９０１で通話呼接続された第１の移動通信端末３００の電話番号と一致するかを決定する。この時、第１の移動通信端末３００の電話番号は、通話呼接続によって予め知っている。このような決定によって、上記識別情報、即ち、電話番号が第１の移動通信端末３００の電話番号と一致すると、制御ポイントモジュール４０５は、認証モジュール４０４を通じて認証キーＲＢを生成する。この時、認証キーＲＢは、乱数であり得る。
【００８６】
そしてステップ９０５で制御ポイントモジュール４０５は、ＳＭＳ送受信モジュール４０２を使用してＲＥＳＴサーバのＵＲＩアドレス、第２の移動通信端末４００の識別情報、例えば、電話番号、認証キーＲＡ、認証キーＲＢを含むアドレス応答メッセージを構成して第１の移動通信端末３００に伝送する。
【００８７】
第１の移動通信端末３００は、ステップ９０５でアドレス応答メッセージが受信されると、制御ポイントモジュール３０５の制御の下に認証モジュール３０４を通じてアドレス応答メッセージに含まれた電話番号がステップ９０１で通話呼接続された第２の移動通信端末４００の電話番号と一致するかを決定する。そして、第１の移動通信端末３００は、アドレス応答メッセージにステップ９０３で生成した認証キーＲＡが含まれているかを決定する。このような決定によって、アドレス応答メッセージに含まれた電話番号が第２の移動通信端末４００の電話番号と一致し、認証キーＲＡが含まれていると、応答メッセージを有効なメッセージとして処理する。
【００８８】
以後、第１の移動通信端末３００の制御ポイントモジュール３０５は、ＲＥＳＴサーバ／クライアント３０３を制御して、ホームネットワークに接続した装置発見要請／装置制御メッセージを構成してステップ９０７で第２の移動通信端末４００に送信する。この時、装置発見要請／装置制御メッセージには、第１の移動通信端末３００の電話番号とステップ９０３とステップ９０５を通じて共有した認証キーＲＡ及び認証キーＲＢのハッシュ（hash）値が含まれる。
【００８９】
第２の移動通信端末４００は、装置発見要請／装置制御メッセージが受信されると、制御ポイントモジュール４０５の制御の下に認証モジュール４０４を通じて装置発見要請／装置制御メッセージに含まれた電話番号と、認証キーＲＡ及び認証キーＲＢのハッシュ（hash）値を使用して第１の移動通信端末３００を認証する。認証が成功的に遂行されると、制御ポイントモジュール４０５は、ステップ９０９でＲＥＳＴサーバ／クライアント４０３を使用して装置リスト／装置制御／イベントを含む応答メッセージを構成して第１の移動通信端末３００に伝送する。この時、応答メッセージには、本発明によって第２の移動通信端末４００の電話番号と認証キーＲＡ及び認証キーＲＢのハッシュ（hash）値が含まれる。
【００９０】
第１の移動通信端末３００は、ステップ９０９で応答メッセージが受信されると、制御ポイントモジュール３０５の制御の下に認証モジュール３０４を通じて応答メッセージに含まれた電話番号と認証キーＲＡ、認証キーＲＢのハッシュ（hash）値を使用して第２の移動通信端末４００に対した認証を遂行し、認証が成功的に処理され、応答メッセージを有効なメッセージとして処理する。
【００９１】
図９は、上記の図７の本発明の第２の実施形態によってＵＰｎＰテレフォニーサービスを提供するための動作過程を詳細に示した図である。図９は本発明の動作を説明する図であり、初期ＲＥＳＴサーバのＩＰアドレスを短文メッセージを通じて交換し、以後ではＲＥＳＴメッセージを使用して相手方ホームネットワークのＵＰｎＰテレフォニー関連情報を交換する時の動作を説明した図である。またＲＥＳＴサーバに情報要請が受信された場合、受信された要請メッセージを認証する過程を含んでいる。図９に示された過程に対する説明は、次のようである。
【００９２】
第２の移動通信端末４００と電話呼接続された状態（ステップ１１００）で、第１の移動通信端末３００は、ステップ１１０１とステップ１１０３で内蔵されている制御ポイントモジュール３０５を使用して現在自身が属しているホームネットワークのテレフォニー装置を発見する。テレフォニー装置は、例えば、第１のテレビ装置６００であり得る。
【００９３】
第１の移動通信端末３００は、ステップ１１０５で短文メッセージを使用して第２の移動通信端末４００で接続できるＲＥＳＴサーバのＩＰアドレスを要請する。この時、短文メッセージを使用することなく、ＮＡＢサービスを用いて相手方のＩＰを知ることもできる。そしてアドレス要請メッセージには、第１の移動通信端末３００の電話番号と認証キーＲＡが含まれる。
【００９４】
第２の移動通信端末４００は、制御ポイントモジュール４０５の制御の下に認証モジュール４０４を通じてＲＥＳＴサーバのアドレス要請メッセージに含まれた電話番号がステップ１１００で通話呼接続された第１の移動通信端末３００の電話番号と一致するかを決定する。ＲＥＳＴサーバのアドレス要請メッセージに含まれた電話番号が第１の移動通信端末３００の電話番号と一致しない場合、第２の移動通信端末４００は、アドレス要請メッセージを無視するか、エラーメッセージを伝送する。
【００９５】
電話番号が一致すると、制御ポイントモジュール４０５は、認証モジュール４０３を通じて認証キーＲＢを生成する。この時、認証キーＲＢは、乱数であり得る。そして第２の移動通信端末４００は、ＳＭＳ送受信モジュール４０２を使用してＲＥＳＴサーバのＵＲＩアドレス、第２の移動通信端末４００の識別情報、例えば、電話番号、認証キーＲＡ及び認証キーＲＢを含むアドレス応答メッセージを構成してステップ１１０７で第１の移動通信端末３００に伝送する。
【００９６】
アドレス応答メッセージを受信すると、第１の移動通信端末３００は、制御ポイントモジュール３０５の制御の下に認証モジュール３０４を通じてアドレス応答メッセージに含まれた電話番号がステップ１１００で通話呼接続された第２の移動通信端末４００の電話番号と一致するかを決定する。そしてアドレス応答メッセージにステップ１１０５で生成した認証キーＲＡが含まれているかを決定する。このような決定によって、アドレス応答メッセージに含まれた電話番号が第２の移動通信端末４００の電話番号と一致し、ステップ１１０５で生成した認証キーＲＡがアドレス応答メッセージに含まれていると、応答メッセージを有効なメッセージとして処理する。アドレス応答メッセージに含まれた電話番号が第２の移動通信端末４００の電話番号と一致しない場合、第１の移動通信端末３００は、応答メッセージを無視するか、エラーメッセージを伝送する。
【００９７】
第１の移動通信端末３００は、第２の移動通信端末４００のＲＥＳＴサーバ４０３のＩＰアドレスを自身のアドレス録に追加し、今後に短文メッセージを再度送らないようにすることができる。仮にＲＥＳＴサーバ４０３のＩＰが変更された場合には、第２の移動通信端末４００がステップ１１０９に対する応答でエラーメッセージを応答し、再度短文メッセージを使用してＩＰアドレスを伝達するはずである。
【００９８】
電話番号が一致する場合、第１の移動通信端末３００は、ＲＥＳＴメッセージを活用して、ステップ１１０９で相手方の第２の移動通信端末４００に向けて相手方ホームネットワークのＵＰｎＰ装置リスト情報を要請する。この時、ホームネットワーク装置リスト要請メッセージには、第１の移動通信端末３００の電話番号とステップ１１０５とステップ１１０７を通じて共有した認証キーＲＡ及び認証キーＲＢのハッシュ（hash）値が含まれる。
【００９９】
ステップ１１０９でホームネットワークの装置リスト要請メッセージを受信した第２の移動通信端末４００は、ステップ１１１１で装置リスト要請メッセージに含まれた電話番号と、認証キーＲＡ及び認証キーＲＢのハッシュ（hash）値を使用して第１の移動通信端末３００を認証する。言い換えれば、装置リスト要請メッセージに含まれた電話番号とステップ１１００で通話接続された第１の移動通信端末３００の電話番号が一致するかを決定し、認証キーＲＡ及び認証キーＲＢのハッシュ（hash）値で認証キーＲＡ及び認証キーＲＢを確認する。
【０１００】
第２の移動通信端末４００が第１の移動通信端末３００を成功的に認証すると、ステップ１１１３とステップ１１１５で、ＵＰｎＰテレフォニーＤＡ１.１で定義された方式によって、Ｍ−ＳＥＡＲＣＨメッセージを使用してホームネットワーク内のＵＰｎＰ装置を発見する。発見されたホームネットワークに接続した装置は、第２のテレビ装置７００であり得る。以後、第２の移動通信端末４００は、ホームネットワーク装置に対する情報を第１の移動通信端末３００にステップ１１１７で伝達する。ホームネットワーク装置のリストが含まれた装置リスト応答メッセージには、第２の移動通信端末４００の電話番号と認証キーＲＡ及び認証キーＲＢのハッシュ（hash）値が含まれる。
【０１０１】
ステップ１１１７までの動作は、高画質のホームネットワークテレフォニーサービス接続のための事前動作であり、以後の動作は、ユーザが実際高画質のホームネットワークテレフォニーサービスを使用するために機器を駆動させた後になされる。
【０１０２】
ステップ１１１７でホームネットワーク装置リスト応答メッセージを受信した第１の移動通信端末３００は、装置リスト応答メッセージに含まれた第２の移動通信端末４００の電話番号と認証キーＲＡ及び認証キーＲＢのハッシュ（hash）値を用いて、該当メッセージが有効なメッセージであることを認証する。
【０１０３】
第１の移動通信端末３００は、ステップ１１１９でユーザ選択に対応してホームネットワークテレフォニーサービスを提供するためのホームネットワーク装置、すなわち、第１のテレビ装置６００を選択する。第１の移動通信端末３００は、ステップ１１２１とステップ１１２３で第１のテレビ装置６００のＳＩＰ ＵＲＩアドレスを取得する。
【０１０４】
そして第１の移動通信端末３００は、ステップ１１２５でＲＥＳＴメッセージを活用して、第２の移動通信端末４００にホームネットワークテレフォニーサービスを遂行するために、第１のテレビ装置６００のＳＩＰ ＵＲＩアドレスを伝達する。第１のテレビ装置６００のＳＩＰ ＵＲＩアドレスが含まれる呼開始要請メッセージは、ホームネットワークテレフォニーサービス提供に従う呼転換を要請するメッセージである。呼開始要請メッセージには、第１の移動通信端末３００の電話番号と、認証キーＲＡ及び認証キーＲＢのハッシュ（hash）値が含まれる。
【０１０５】
ステップ１１２５で呼開始要請メッセージを受信した第２の移動通信端末４００は、ステップ１１２７で呼開始要請メッセージが適切なユーザから伝達されたかを決定する。すなわち、呼開始要請メッセージに含まれた電話番号が、ステップ１１００で通話接続された第１の移動通信端末３００の電話番号と一致するかを決定し、認証キーＲＡ及び認証キーＲＢのハッシュ（hash）値を確認する。
【０１０６】
第２の移動通信端末４００は、認証結果、上記要請が適切であると判断すると、ステップ１１２９でユーザ入力によってホームネットワークテレフォニーサービスを遂行する装置、すなわち、第２のテレビ装置７００を選択する。そして第２の移動通信端末４００は、ステップ１１３１で第２のテレビ装置７００にホームネットワークテレフォニーサービス開始のための呼開始メッセージを伝送し、第１のテレビ装置６００のアドレスを第２のテレビ装置７００に伝達する。
【０１０７】
第２のテレビ装置７００は、ステップ１１３３で受信した呼開始メッセージに対する正常処理可否に対する応答を第２の移動通信端末４００に伝達する。第２の移動通信端末４００は、ステップ１１３３での応答内容によって、ステップ１１２５の要請に対する正常処理可否を示す応答を構成してステップ１１３５で第１の移動通信端末３００に伝達する。
【０１０８】
以後、ステップ１１３７で第１の移動通信端末３００と第２の移動通信端末は、通話呼を整理する。例えば、音声通話は、第１の移動通信端末３００と第２の移動通信端末を通じてなされるように維持し、通話に従う映像は、第１のテレビ装置６００と第２のテレビ装置７００を通じて送受信されることができるように設定する（ステップ１１３９）。この時、第１のテレビ装置６００と第２のテレビ装置７００は、ホームネットワーク及びホームネットワークと接続したバックボーンネットワークを通じてなされる。このような音声通話と映像通話は、一つのセッションとして処理される。
【０１０９】
上記の実施形態は、短文メッセージとＲＥＳＴメッセージを混用して使用する場合を例として説明した。しかしながら、図８及び図１０に示したように、ステップ９０７、ステップ９０９の動作が短文メッセージを通じてなされることができるように構成することができる。
【０１１０】
この場合、ステップ１００３で第２の移動通信端末４００に伝送される短文メッセージには、ＲＥＳＴサーバのアドレスを要請する情報の代わりに、ホームネットワークテレフォニーサービスに対する初期化メッセージであることを示す情報と、第１の移動通信端末３００の電話番号、認証キーＲＡが含まれる。そしてステップ１００５で第１の移動通信端末３００に伝えられる短文メッセージには、初期化メッセージに対する応答内容と、第２の移動通信端末４００の電話番号、認証キーＲＡ、認証キーＲＢが含まれる。
【０１１１】
そして、ステップ１００７、ステップ１００９で使用されるメッセージは、短文メッセージであっても、該当メッセージに含まれる内容または情報は、ステップ９０７、ステップ９０９と同一であってもよい。
【０１１２】
図１０に示された過程も、図９の過程と類似しており、但し、ステップ１２０９、ステップ１２１７、ステップ１２２５、ステップ１２３５で短文メッセージを用いるという点で差異がある。この場合、ステップ１２０５で第２の移動通信端末４００に伝送される短文メッセージには、ＲＥＳＴサーバのアドレスを要請する情報の代わりに、ホームネットワークテレフォニーサービスに対する初期化メッセージであることを示す情報と、第１の移動通信端末３００の電話番号、認証キーＲＡが含まれる。そしてステップ１２０７で第１の移動通信端末３００に伝えられる短文メッセージには、初期化メッセージに対する応答内容と、第２の移動通信端末４００の電話番号、認証キーＲＡ、認証キーＲＢが含まれる。
【０１１３】
そしてステップ１２０９、ステップ１２１７、ステップ１２２５、ステップ１２３５で使用されるメッセージは、短文メッセージであっても、該当メッセージに含まれる内容または情報は、図９のステップ１１０９、ステップ１１１７、ステップ１１２５、ステップ１２３５と同一であり、その処理過程もＳＭＳ送受信モジュール３０２、４０２を用いるという点だけで差異があり、それ以外は、類似している。
【０１１４】
そしてステップ１２０１、ステップ１２０３、ステップ１２１１、ステップ１２１３、ステップ１２１５、ステップ１２２１、ステップ１２２３、ステップ１２２７、ステップ１２２９、ステップ１２３１、ステップ１２３３、ステップ１２３７、ステップ１２３９は、各々ステップ１１０１、ステップ１１０３、ステップ１１１１、ステップ１１１３、ステップ１１１５、ステップ１１２１、ステップ１１２３、ステップ１１２７、ステップ１１２９、ステップ１１３１、ステップ１１３３、ステップ１１３７、ステップ１１３９に対応する。
【０１１５】
上記の図８及び図１０の実施形態では、下記の表１のような形式の短文メッセージが使用されることができる。
【０１１６】
【表１】
0005982402.tif 000002
【０１１７】
そして、短文メッセージの例は、次の表２のように示すことができる。
【０１１８】
【表２】
0005982402.tif 000003
【０１１９】
次に、本発明の第３実施形態によるホームネットワークテレフォニーサービス提供過程を図１１乃至図１４を参照して説明する。本発明の第３実施形態は、ホームネットワークテレフォニーサービスを提供しようとする移動通信端末が上記の本発明の第１の実施形態または第２の実施形態のように相互間の認証を遂行することと仮定する。ただし、移動通信端末３００、４００と通話呼の転換対象となるホームネットワーク装置、すなわち、テレビ装置６００、７００の間に接続が迅速に遂行されるように、テレビ装置６００、７００に呼接続を予め待機させるものである。詳細な過程は、図１１乃至図１４を参照して説明する。図１１及び図１３は、ホームネットワークテレフォニーサービスのための呼転換を要請する第１の移動通信端末３００が第２の移動通信端末４００に呼接続待機を要請する例を示した図であり、図１２と図１４は、第１の移動通信端末３００で呼接続待機を遂行する例を示した図である。
【０１２０】
図１１を参照すると、第１の移動通信端末３００と第２の移動通信端末４００は、ステップ１３０１でホームネットワークテレフォニーサービスの初期化過程を遂行する。ここで、ホームネットワークテレフォニーサービスの初期化過程は、電話通信が接続された二つの通信端末間にホームネットワークテレフォニーサービスの開始を示し、ホームネットワークテレフォニーサービス環境を設定する過程として、例えば、上記のステップ８００乃至ステップ８１７、または上記のステップ１１００乃至ステップ１１１９、または上記のステップ１２００乃至ステップ１２１９に該当する。
【０１２１】
上記ホームネットワークテレフォニーサービスの初期化過程が完了すると、第１の移動通信端末は、ホームネットワークテレフォニーサービスを提供するためにステップ１３０３及びステップ１３０５でユーザ選択に対応する一つの、ホームネットワーク装置、すなわち、第１のテレビ装置６００からＳＩＰ ＵＲＩアドレスを取得する。
【０１２２】
そして第１の移動通信端末３００は、ステップ１３０７で短文メッセージを活用して、第２の移動通信端末４００にホームネットワークテレフォニーサービスを遂行するために、第１のテレビ装置６００のＳＩＰ ＵＲＩアドレスを伝達する。この時、第１のテレビ装置６００のＳＩＰ ＵＲＩアドレスが含まれる呼設定要請メッセージは、ホームネットワークテレフォニーサービス提供に従う環境設定を要請するメッセージとして、呼設定要請メッセージには、第１の移動通信端末３００の電話番号と、認証キーＲＡ及び認証キーＲＢのハッシュ（hash）値が含まれる。また本発明の第３実施形態によって、呼接続待機要請及び呼接続待機のためのcookie値が含まれる。
【０１２３】
ステップ１３０７で、呼設定要請メッセージを受信した第２の移動通信端末４００は、ステップ１３０９で呼設定要請メッセージが適切なユーザから伝達されたかを確認する。すなわち、呼設定要請メッセージに含まれた電話番号が、ステップ１３０１で通話接続された第１の移動通信端末３００の電話番号と一致するかを決定し、認証キーＲＡ、認証キーＲＢのハッシュ（hash）値を確認する。
【０１２４】
第２の移動通信端末４００は、認証結果、上記要請が適切であると判断すると、ステップ１３１１及びステップ１３１３でユーザ入力によってホームネットワークテレフォニーサービスを遂行する装置、すなわち、第２のテレビ装置７００から、ＳＩＰ ＵＲＩアドレスを取得する。
【０１２５】
第２の移動通信端末４００は、ステップ１３１５で第２のテレビ装置７００に呼接続待機要請メッセージを伝送する。呼接続待機要請メッセージには、ステップ１３０７で受信した呼接続待機のためのcookie値が含まれる。
【０１２６】
第２のテレビ装置７００は、成功的に呼接続待機要請メッセージを受信すると、これに対する応答をステップ１３１７で第２の移動通信端末４００に伝送する。
【０１２７】
第２の移動通信端末４００は、ステップ１３１９で第１の移動通信端末３００にホームネットワークテレフォニーサービスを提供するための環境設定が完了したことを応答する。この時、応答メッセージには、第２のテレビ装置７００のＳＩＰ ＵＲＩアドレスが含まれる。
【０１２８】
これによって、第１の移動通信端末３００は、ステップ１３２１で第１のテレビ装置６００にホームネットワークテレフォニーサービスに従う呼開始要請メッセージを送信する。この時、呼開始要請メッセージには、第２のテレビ装置７００のＳＩＰ ＵＲＩアドレスと、コールタイプ、そしてステップ１３１５の呼接続待機のためのcookie値が含まれる。
【０１２９】
第１のテレビ装置６００は、ステップ１３２５で第２のテレビ装置７００にホームネットワークテレフォニーサービスに従う呼接続を要請する。この時、呼接続要請メッセージには、ステップ１３０７の呼接続待機のためのcookie値が含まれる。
【０１３０】
第２のテレビ装置７００は、ステップ１３２５で受信したメッセージに含まれたcookie値と、ステップ１３１５で呼接続待機要請と共に受信したcookie値をステップ１３２７で比較する。ステップ１３１５で受信したメッセージに含まれたcookie値と、ステップ１３１５で呼接続待機要請と共に受信したcookie値が一致すると、第２の移動通信端末４００で接続許可を受けずに、ステップ１３２９で直ちに第１のテレビ装置６００と通話呼を接続して、通信を遂行する。
【０１３１】
このように、呼接続待機要請を設定することによって、ユーザがいちいち呼接続を許可する過程を省略するか、移動通信端末で呼接続を許可するためのリソース利用を減らすことができる。
【０１３２】
一方、図１３で、第１の移動通信端末３００と第２の移動通信端末４００は、ステップ１４０１でホームネットワークテレフォニーサービスの初期化過程を遂行する。ここで、ホームネットワークテレフォニーサービスの初期化過程は、例えば、上記のステップ８００乃至ステップ８１７、または上記のステップ１１００乃至ステップ１１１９、または上記のステップ１２００乃至ステップ１２１９に該当する。
【０１３３】
上記ホームネットワークテレフォニーサービスの初期化過程が完了すると、第１の移動通信端末３００は、ホームネットワークテレフォニーサービスを提供するためにステップ１４０３及びステップ１４０５でユーザ選択に対応する一つのホームネットワーク装置、すなわち、第１のテレビ装置６００からＳＩＰ ＵＲＩアドレスを取得する。
【０１３４】
そして、第１の移動通信端末３００は、ステップ１４０７で第１のテレビ装置６００に呼接続待機要請メッセージを送信する。この時、呼接続待機要請メッセージには、呼接続待機のためのcookie値が含まれる。
【０１３５】
以後、ステップ１４０９で第１の移動通信端末３００は、短文メッセージを活用して、第２の移動通信端末４００にホームネットワークテレフォニーサービスを遂行するために、第１のテレビ装置６００のＳＩＰ ＵＲＩアドレスを伝達する。この時、第１のテレビ装置６００のＳＩＰ ＵＲＩアドレスが含まれる呼開始要請メッセージは、ホームネットワークテレフォニーサービス提供のための呼開始を要請するメッセージとして、呼開始要請メッセージには、第１の移動通信端末３００の電話番号と、認証キーＲＡ及び認証キーＲＢのハッシュ（hash）値が含まれる。また本発明の第３実施形態によって、呼接続待機のための上記cookie値が含まれる。
【０１３６】
ステップ１４０９で呼開始要請メッセージを受信した第２の移動通信端末４００は、ステップ１４１１で呼設定要請メッセージが適切なユーザから伝達されたかを決定する。すなわち、呼開始要請メッセージに含まれた電話番号が、ステップ１４０１で通話接続された第１の移動通信端末３００の電話番号と一致するかを決定し、認証キーＲＡ及び認証キーＲＢのハッシュ（hash）値を確認する。
【０１３７】
第２の移動通信端末４００は、認証結果、上記要請が適切であると判断すると、ステップ１４１３でユーザ入力に対応してホームネットワークテレフォニーサービスを遂行する装置、すなわち、第２のテレビ装置７００にホームネットワークテレフォニーサービス開始のための呼開始メッセージを伝送する。呼開始メッセージには、第１のテレビ装置６００のアドレスと、ステップ１４０９で受信した、呼接続待機のためのcookie値が含まれる。
【０１３８】
第２のテレビ装置７００は、成功的に呼接続待機要請メッセージを受信すると、これに対する応答をステップ１４１５で第２の移動通信端末４００に伝送する。
【０１３９】
そしてステップ１４１７で第２のテレビ装置７００は、第１のテレビ装置６００にホームネットワークテレフォニーサービスに従う呼開始を要請する。この時、要請メッセージには、ステップ１４０９の呼接続待機のためのcookie値が含まれる。
【０１４０】
第１のテレビ装置６００は、ステップ１４１７で受信したメッセージに含まれたcookie値と、ステップ１４０７で呼接続待機要請メッセージに含まれて受信したcookie値をステップ１４１９で比較して、一致すると、第１の移動通信端末３００で接続許可を受けずに、ステップ１４２１で直ちに第１のテレビ装置６００と通話呼を接続して、通信を遂行する。
【０１４１】
このように、呼接続待機要請を設定することによって、ユーザがいちいち呼接続を許可する過程を省略するか、移動通信端末で呼接続を許可するためのリソース利用を減らすことができる。
【０１４２】
図１３及び図１４では、本発明の第３実施形態に対する他の例を図示した。上記の図１１と図１２の実施形態では、第１の移動通信端末３００が第２の移動通信端末４００に呼接続待機のためのメッセージを伝送する時、cookie値と、認証のための電話番号及び認証キーを共に伝送する場合を仮定した。図１３と図１４の例では、cookie値を利用しない場合を示す。
【０１４３】
また、本発明の他の実施形態によって、本発明の第１の実施形態または第２の実施形態で示したように、認証情報を用いてテレフォニーサービス初期化過程を遂行しない場合でも、図１３と図１４に例示された過程が遂行されることができる。言い換えれば、認証情報を含まない、アドレス要請メッセージまたは初期化メッセージまたは装置リスト要請メッセージ及び上記のメッセージの応答メッセージを用いてテレフォニーサービス初期化過程が遂行された場合でも、図１３及び図１４に例示された過程が遂行されることができる。
【０１４４】
図１３及び図１４で、移動通信端末３００、４００が通話接続された状態であり、通話呼の転換対象となるホームネットワーク装置は、テレビ装置６００、７００であると仮定する。そして図１３は、第２の移動通信端末４００が呼接続待機を遂行する例を示した図であり、図１４は、第１の移動通信端末３００が呼接続待機を遂行する例を示した図である。
【０１４５】
図１３を参照すると、第１の移動通信端末３００と第２の移動通信端末４００は、ステップ１５０１でホームネットワークテレフォニーサービスの初期化過程を遂行する。ここで、ホームネットワークテレフォニーサービスの初期化過程は、例えば、上記のステップ８００乃至ステップ８１７、または上記のステップ１１００乃至ステップ１１１９、または上記のステップ１２００乃至ステップ１２１９に該当する。または本発明の他の実施形態によって、ステップ１５０１の初期化過程は、認証情報を利用しない初期化過程であり得る。
【０１４６】
上記ホームネットワークテレフォニーサービスの初期化過程が完了すると、第１の移動通信端末は、ホームネットワークテレフォニーサービスを提供するために、ステップ１５０３及びステップ１５０５でユーザ選択に対応する一つのホームネットワーク装置、すなわち、第１のテレビ装置６００からＳＩＰ ＵＲＩアドレスを取得する。
【０１４７】
そして第１の移動通信端末３００は、ステップ１５０７で短文メッセージを活用して、第２の移動通信端末４００にホームネットワークテレフォニーサービスを遂行するために、第１のテレビ装置６００のＳＩＰ ＵＲＩアドレスを伝達する。第１のテレビ装置６００のＳＩＰ ＵＲＩアドレスが含まれる呼開始要請メッセージは、ホームネットワークテレフォニーサービス提供に従う環境設定を要請するメッセージとして、コールタイプ（call type）情報を含む。また本発明の第３実施形態によって、呼接続待機要請が含まれる。コールタイプ情報は、ホームネットワークテレフォニーサービスにより成立する呼のセットアップ情報を含む。例えば、コールタイプ情報は、ホームネットワークテレフォニーサービスにより提供される呼（call）を構成するオーディオ及びビデオの解像度（resolution）の品質を示すことができる。
【０１４８】
ステップ１５０７で呼開始要請メッセージを受信した第２の移動通信端末４００は、ステップ１５０９で呼接続待機要請に対するユーザ選択を確認する。言い換えれば、ホームネットワークテレフォニーサービスを実施する時、呼の転換対象となるホームネットワーク装置がテレフォニー制御ポイントを搭載した装置またはユーザに最終的な呼接続に対する許可を受ける過程を省略することに対するユーザの選択を確認するものである。
【０１４９】
このような呼接続待機要請に対するユーザ選択は、選択値で第２の移動通信端末４００に保存される。またはステップ１５０９で呼接続待機要請を許可するか否かを確認するメッセージをディスプレイするか、案内音声を出力して、許可するか否かに対するユーザ入力を受信することもできる。そして第２の移動通信端末４００は、ユーザからホームネットワークテレフォニーサービスを遂行する装置、すなわち、第２のテレビ装置７００に対した選択入力を受信することができる。または予め指定された装置があることもできる。
【０１５０】
以後、第２の移動通信端末４００は、ステップ１５１１及びステップ１５１５でホームネットワークテレフォニーサービスを遂行する装置、すなわち、第２のテレビ装置７００から、ＳＩＰ ＵＲＩアドレスを取得する。仮に、第２の移動通信端末４００が第２のテレビ装置７００のＳＩＰ ＵＲＩを知っているとすれば、この過程は、省略可能である。
【０１５１】
そして第２の移動通信端末４００は、ステップ１５０９でユーザ選択の確認結果、ユーザ選択が呼接続待機要請を許可することであれば、ステップ１５１５で第２のテレビ装置７００に呼接続待機要請メッセージを伝送する。呼接続待機要請メッセージには、ステップ１５０７で受信した第１のテレビ装置６００のＳＩＰ ＵＲＩと、コールタイプ情報が含まれる。
【０１５２】
第２のテレビ装置７００は、成功的に呼接続待機要請メッセージを受信すると、これに対する応答をステップ１５１７で第２の移動通信端末４００に伝送する。
【０１５３】
第２の移動通信端末４００は、ステップ１５１９で第１の移動通信端末３００にホームネットワークテレフォニーサービスを提供するための環境設定が完了したことを応答する。この時、応答メッセージには、第２のテレビ装置７００のＳＩＰ ＵＲＩアドレスと呼接続待機要請に対する応答内容が含まれる。呼接続待機要請に対する応答内容は、呼接続待機を許可することによって呼接続待機が設定されたことを示す値でもあり、呼接続待機を拒否する値でもある。
【０１５４】
応答メッセージを受信した第１の移動通信端末３００は、呼接続待機が設定されたことを示す値が含まれていると、ステップ１５２１で第１のテレビ装置６００にホームネットワークテレフォニーサービスに従う呼開始要請メッセージを送信する。呼開始要請メッセージには、第２のテレビ装置７００のＳＩＰ ＵＲＩアドレスと、コールタイプ情報が含まれる。
【０１５５】
第１のテレビ装置６００は、ステップ１５２５で第２のテレビ装置７００にホームネットワークテレフォニーサービスに従う呼接続を要請する。
【０１５６】
第２のテレビ装置７００は、ステップ１５２５で受信したメッセージに含まれた第１のテレビ装置６００のＳＩＰ ＵＲＩと、ステップ１５１５で呼接続待機要請と共に受信したＳＩＰ ＵＲＩをステップ１５２７で比較して、一致すると、第２の移動通信端末４００で接続許可を受けずに、ステップ１５２９で直ちに第１のテレビ装置６００と通話呼を接続して、通信を遂行する。
【０１５７】
このように、呼接続待機要請を設定することによって、ユーザがいちいち呼接続を許可する過程を省略するか、移動通信端末で呼接続を許可するためのリソース利用を減らすことができる。
【０１５８】
図１４は、上記の図１３のステップ１５０９でユーザ選択の確認結果、呼接続待機を拒否する場合の動作過程を示す。これによって、図１４のステップ１６０１乃至ステップ１６１１のそれぞれは、図１３のステップ１５０１乃至ステップ１５１１のそれぞれに対応する。
【０１５９】
図１４を参照すると、第２の移動通信端末４００は、ステップ１６０９でユーザが呼接続待機要請を拒否すると、ステップ１６１５で第２のテレビ装置７００に呼開始要請メッセージを伝送する。呼開始要請メッセージには、ステップ１６０７で受信した第１のテレビ装置６００のＳＩＰ ＵＲＩと、コールタイプ情報が含まれる。
【０１６０】
第２のテレビ装置７００は、成功的に呼開始要請メッセージを受信すると、これに対する応答をステップ１６１７で第２の移動通信端末４００に伝送する。
【０１６１】
第２の移動通信端末４００は、ステップ１６１９で第１の移動通信端末３００にホームネットワークテレフォニーサービスを提供するための環境設定が完了したことを応答する。応答メッセージには、第２のテレビ装置７００のＳＩＰ ＵＲＩアドレスと呼接続待機要請に対する応答内容、すなわち、呼接続待機を拒否する値が含まれる。
【０１６２】
応答メッセージを受信した第１の移動通信端末３００は、呼接続待機を拒否する値が含まれていると、第１の移動通信端末３００と第２の移動通信端末は、通話呼を整理する。例えば、音声通話は、第１の移動通信端末３００と第２の移動通信端末４００を通じてなされるように維持し、通話に従う映像は、第１のテレビ装置６００と第２のテレビ装置７００を通じて送受信されることができるように設定する。
【０１６３】
そしてステップ１６２１で第２のテレビ装置７００は、第１のテレビ装置６００にホームネットワークテレフォニーサービスに従う呼接続要請メッセージを送信して、第１のテレビ装置６００と通話呼を接続して、ステップ１６２３で通信を遂行する。
【０１６４】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０１６５】
１０１  サービス提供者
１０２  ＵＰｎＰテレフォニー制御ポイント
１０３  テレフォニー端末
１０４  電子機器
１０６  テレフォニーサーバ
１０９  テレフォニークライアント
２１０  制御ポイントモジュール
２２０  認証モジュール
２３０  テレフォニー制御部
２３１  送受信モジュール
２４０  送受信部
２５０  保存部
２６０  ユーザ入力部
２７０  ＲＥＳＴサーバ／クライアント
３００  第１の移動通信端末
３０１  電話通信モジュール
３０２  ＳＭＳ送受信モジュール
３０３  ＲＥＳＴサーバ／クライアント
３０４  認証モジュール
３０５  制御ポイントモジュール
４００  第２の移動通信端末
４０１  電話通信モジュール
４０２  ＳＭＳ送受信モジュール
４０３  ＲＥＳＴサーバ／クライアント
４０４  認証モジュール
４０５  制御ポイントモジュール
６００  第１のテレビ装置
７００  第２のテレビ装置
【図１】
0005982402.tif 000004
【図２】
0005982402.tif 000005
【図３】
0005982402.tif 000006
【図４】
0005982402.tif 000007
【図５】
0005982402.tif 000008
【図６】
0005982402.tif 000009
【図７】
0005982402.tif 000010
【図８】
0005982402.tif 000011
【図９】
0005982402.tif 000012
【図１０】
0005982402.tif 000013
【図１１】
0005982402.tif 000014
【図１２】
0005982402.tif 000015
【図１３】
0005982402.tif 000016
【図１４】
0005982402.tif 000017